(57)【特許請求の範囲】
【請求項１】
基体上にバネを駆動源とし、前記駆動源を起動させるスイッチ機構と、少なくとも人形又は動物形象体の一部が浴槽を模した中空造形体中で上下動自在に構成し、タイマーの設定時間を経過すると前記人形又は動物形象体が始動するタイマー表示部とからなる風呂用タイマーと、複数の水遊び用具を取り付けてなり、裏面に吸盤を設けてなる風呂用タイマー玩具。
【請求項２】
前記水遊び用具は、風呂用タイマー周辺部に少なくともシャワー、水車、及び前記シャワー及び水車に水を供給する給水機構を備えてなる請求項１記載の風呂用タイマー玩具。
【請求項３】
前記風呂用タイマー玩具は、ヒシャク、バケツ、ジョウロの少なくとも１種以上を備えてなる請求項２記載の風呂用タイマー玩具。
【発明の詳細な説明】
【０００１】
【発明の属する技術分野】
本発明は風呂用タイマー玩具に関する。更に詳細には、入浴時間を設定するタイマーと水遊び用具を一体的に取り付けた風呂用タイマー玩具に関する。
【０００２】
【従来の技術】
従来、風呂用タイマーとして、バネを駆動源とする入浴用タイマーが開示されている（実公平５−４２３８９号公報）。
【０００３】
【発明が解決しようとする課題】
前記した従来の入浴用タイマーは、浴室に時計や電動タイマー等を持ち込むことなく、各人の入浴時間を設定して効果的に健康維持等に適用することができるとしても、幼児等は決められた入浴時間を辛抱することができ難い。従って、早急に浴槽から出ることが多く、十分に体が温まらず、入浴後に湯冷めして体調不良に陥ったり、風邪をひくことがあった。
本発明の風呂用タイマー玩具は、タイマーと共に遊戯性を有する水遊び玩具を備えるため、幼児等が使用しても設定した入浴時間を楽しく過ごすことができる風呂用タイマー玩具を提供することにある。
【０００４】
【課題を解決するための手段】
本発明風呂用タイマー玩具は、基体上にバネを駆動源とし、前記駆動源を起動させるスイッチ機構と、少なくとも人形又は動物形象体の一部が浴槽を模した中空造形体中で上下動自在に構成し、タイマーの設定時間を経過すると前記人形又は動物形象体が始動するタイマー表示部とからなる風呂用タイマーと、複数の水遊び用具を取り付けてなり、裏面に吸盤を設けてなる風呂用タイマー玩具を要件とする。更には、前記水遊び用具は、風呂用タイマー周辺部に少なくともシャワー、水車、及び前記シャワー及び水車に水を供給する給水機構を備えてなる風呂用タイマー玩具であり、前記風呂用タイマー玩具は、ヒシャク、バケツ、ジョウロの少なくとも１種以上を備えてなる風呂用タイマー玩具であることを要件とする。
【０００５】
前記風呂用タイマーとしては、つるまきバネや巻きバネ等のバネを駆動源とするタイマーを用いる。よって、安価でしかも湿度や温度変化に対する耐久性が高い。
【０００６】
前記タイマー表示部には、アナログ時計のように針によって経過時間を表示する機構、デジタル時計のように数字によって表示する機構を設けてもよい。
【０００７】
前記風呂用タイマーの駆動源を駆動させるスイッチとしては、レバーを引いたり、或いはスイッチを押圧する機構が挙げられる。
前記の如くして駆動源を作動させ、前記したタイマーの表示部分により、所望する入浴時間を設定することができる。
【０００８】
又、前記風呂用タイマーとして、スイッチの作動と共に駆動源を駆動させる構成となし、前記スイッチの作動と連動して、人形又は動植物を模した表示部が、浴槽を模した中空造形体中に、湯に漬かるような様相をしめしながら降下し、タイマーの設定時間が経過すると、前記人形又は動植物を模した表示部が上昇して、浴槽を模した中空造形体から出るような様相を示すものが用いられる。
【０００９】
前記水遊び用具とは、水をかけるもの、水を流したり噴射或いは噴霧するもの、水を含浸するもの、水によって作動するものが挙げられ、水車、水鉄砲、しゃぼんだま玩具等を例示することができる。
又、前記水を入れる容器の形状としては、ヒシャク、バケツ、ジョウロ等が挙げられる。
【００１０】
尚、前記風呂用タイマー玩具の裏面には、浴槽壁面等と吸着する吸盤を設けることにより、使用し易い位置に固定することができ、又、風呂の掃除を要する際、取り外すことも可能になる。
【００１１】
【発明の実施の形態】
実施例１
本発明風呂用タイマー玩具の一実施例を図１及び２において説明する。
風呂用タイマー玩具１は、プラスチック製基体２上に、風呂用タイマー３、水遊び用具として、シャワー４１、水車４２、前記シャワー４１と水車４２に水を供給する給水装置５を取り付けてなる。
尚、前記基体２の裏面には、吸盤７を２カ所取り付け、又、基体２側面には、ヒシャク６をかけるフック２１を設けてなる。
【００１２】
前記風呂用タイマー玩具１は、吸盤７を利用して浴室壁面に固定し、前記風呂用タイマー３のスイッチ機構３１のレバーを下げると、前記レバー操作と連動して、タイマー表示部の動物形象体３３であるカバの胴部が浴槽を模した中空造形体３２内部に浸積するような様相を示すと共に、カウンター３４の数字が０から１０までデジタル表示されるよう構成してなる（図１参照）。
【００１３】
前記スイッチ機構３１を放すと、レバーの上昇と共にカウンター３４の数字が「１０」から「９」へとカウントされ、更に「０」になるとカバが浴槽から上がるような様相を示す（図２参照）。
【００１４】
又、ヒシャク６に水を満たして給水装置５に給水し、前記表示部３３の数字が「１０」から「０」までカウントされる間、コック５１をひねることにより、流水口５２から垂下する水が水車４２を回したり、或いは給水装置５に連通しているポンプ部４１１を押圧することによりシャワー４１から水を噴出させたりすることができるため、幼児は水遊び用具で遊戯することにより、浴槽中で風呂用タイマーの時間経過を飽きることなく待つことができる。
【００１５】
実施例２
風呂用タイマー玩具は、白色プラスチック製基体表面に、風呂用タイマー、水遊び用具として、水鉄砲、水車、前記水鉄砲に水を供給する給水装置、印刷インキにより花柄を設け、前記花柄の上面を３７℃以上で無色、３７℃未満で青色に発色する熱変色性インキにより隠蔽した表示部を設けてなる。
尚、前記基体の裏面には、吸盤を３カ所取り付け、又、基体側面には、バケツをかけるフックを設けてなる。
【００１６】
前記風呂用タイマー玩具は、吸盤を利用して浴槽壁面に固定し、前記風呂用タイマーのスイッチ機構のボタンを押圧すると、前記ボタン操作と連動して、タイマー表示部の人形の胴部が浴槽を模した中空造形体内部に浸漬するよう構成してなる。
【００１７】
前記ボタンを放すと、３０秒後に人形が浴槽から上昇するような様相を示す。
【００１８】
又、バケツにより給水装置に湯を注入し、前記風呂用タイマーにより３０秒が経過する間、水鉄砲の先端部から噴射させ、水車に向かって湯をかけることにより回転させたり、或いは表示部に向かって湯をかけることによって花柄を現出させることができるため、幼児は水遊び用具で遊戯することにより、浴槽中で時間経過を飽きることなく待つことができる。
【００１９】
【発明の効果】
本発明の風呂用タイマー玩具は、浴室に時計や電動タイマー等を持ち込むことなく、各人の入浴時間を設定して効果的に健康維持に適用することができると共に、幼児等が使用しても、タイマーと共に遊戯性を有する水遊び玩具を備えるため、入浴時間を楽しく過ごすことができる風呂用タイマー玩具を提供することができる。
又、前記風呂用タイマー表示部を人形又は動物形象体の一部が浴槽を模した中空造形体中で上下動自在に構成し、前記タイマーの設定時間が経過すると、前記人形又は動物形象体が可動する構成により、玩具性を高めることができる。
更に前記水遊び用具がシャワー、水車、及び前記シャワー及び水車に水を供給する給水機構から構成され、ヒシャク、バケツ、ジョウロ等を備えることによって、簡便で幼児等が使用し易い風呂用タイマー玩具を提供できる。
【図面の簡単な説明】
【図１】  本発明風呂用タイマー玩具の一実施例のタイマーを作動させた状態を示す平面図である。
【図２】  本発明風呂用タイマー玩具の一実施例のタイマーを作動させた後の状態を示す平面図である。
【符号の説明】
１  風呂用タイマー玩具
２  基体
２１  フック
３  風呂用タイマー
３１  スイッチ機構
３２  中空造形体
３３  動物形象体
３４  カウンター
４１  シャワー
４１１  ポンプ部
４２  水車
５  給水装置
５１  コック
５２  流水口
６  ヒシャク
７  吸盤
【図１】
0003643971.tif 000002
【図２】
0003643971.tif 000003